(57)【要約】      （修正有）【課題】  大形のＬＣＤに装着されるグラスを積載する時にグラスの撓みを防止することができるカセットを提供する。【解決手段】  ＬＣＤに装着されるグラス１０を積載するためのＬＣＤ用グラスの積載カセット１であって、前記グラス１０の側面及び背面を支持できるように側面支持台３１及び背面支持台４１がそれぞれ設けられた側面フレーム３０及び背面フレーム４０と；前記グラス１０の前面を支持できるように前面支持台２１が設けられた前面フレーム２０と；を含むことを特徴とする。【選択図】  図３
2004172570.tif 000002
【特許請求の範囲】
【請求項１】
ＬＣＤに装着されるグラスを積載するためのＬＣＤ用グラスの積載カセットにおいて、
前記グラスの側面及び背面を支持できるように側面支持台及び背面支持台がそれぞれ設けられた側面フレーム及び背面フレームと；
前記グラスの前面を支持できるように前面支持台が設けられた前面フレームと；
を含むことを特徴とするＬＣＤ用グラスの積載カセット。
【請求項２】
前記前面支持台は、バー形状に設けられることを特徴とする請求項１に記載のＬＣＤ用グラスの積載カセット。
【請求項３】
前記背面支持台及び前記前面支持台は、それぞれ複数個が設けられ、
前記複数の背面支持台及び前面支持台の中で中央に位置したものの長さが他のものに比べて長いことを特徴とする請求項２に記載のＬＣＤ用グラスの積載カセット。
【請求項４】
前記前面フレームには、前記グラスを積載するために運搬道具が出入できるアーム収容部が設けられることを特徴とする請求項１または３に記載のＬＣＤ用グラスの積載カセット。
【請求項５】
前記運搬道具は、ロボットアームであることを特徴とする請求項４に記載のＬＣＤ用グラスの積載カセット。
【発明の詳細な説明】
【技術分野】
【０００１】
本発明は、ＬＣＤに装着されるグラスを積載するためのＬＣＤ用グラスの積載カセットに関する。
【背景技術】
【０００２】
一般に、ＬＣＤ（Ｌｉｑｕｉｄ Ｃｒｙｓｔａｌ Ｄｉｓｐｌａｙ）は、現在一番広く使用されているディスプレイの中の一つである。また、ＬＣＤは、液晶層を間においてガラスまたは石英等からなるグラス（Ｇｌａｓｓ）層を含む。
【０００３】
ＬＣＤ用グラスは、ＬＣＤの製造工程上でグラスを積載するためのカセット（Ｃａｓｓｅｔ）に積載されて保管及び運搬される。
【０００４】
また、このようなカセットは、グラスの品質に重要な要素である平坦度を維持できるように、撓みが発生しないように、グラスを保管しなければならない。
【０００５】
従来のＬＣＤ用グラス積載カセット１０１は、図１及び図２に示すように、グラス１１０の側面を支持することができる側面フレーム１３０と、グラス１１０の背面を支持することができるように設けられた背面フレーム１４０と、を含む。
【０００６】
側面フレーム１３０は、それぞれのグラス１１０の側面の縁部を支持することができるように多くの側面支持台１３１を含む。
【０００７】
側面支持台１３１は、一側の側面フレーム１３０から他側の側面フレーム１３０に向いて突出形成されてグラス１１０の側面の縁部を支持することができるようになる。
【０００８】
背面フレーム１４０は、グラス１１０の背面の縁部を支持できるように多くの背面支持台１４１を含む。
【０００９】
背面支持台１４１は、背面フレーム１４０から前方に向いて突出形成されて積載されたグラス１１０の背面の縁部を支持できるようになる。
【００１０】
これにより、従来のＬＣＤ用グラスの積載カセット１０１の開放された前面を通じて矢印（図２のＡ）方向にロボットアーム（ＡＲＭ）（図示せず）を利用してグラス１１０を積載することができる。また、積載されたグラス１１０は、背面フレーム１４０に設けられた多くの背面支持台１４１と、側面フレーム１３０に設けられた多くの側面支持台１３１に支持されて撓みが発生しない。
【００１１】
ところが、このような従来のＬＣＤ用グラスの積載カセットに消費者の欲求に従って大形化されるＬＣＤに装着される大形グラスを積載する場合、カセットの前面でグラスを支持することを可能とするいずれの装置も設けられなかったので、カセットに積載されたグラスの前面が下方に撓む恐れがある。
【発明の開示】
【発明が解決しようとする課題】
【００１２】
本発明の目的は、前述した問題点を解決するため、大形ＬＣＤに装着されるグラスを積載する時に、グラスの撓みを防止することができるＬＣＤ用グラスの積載カセットを提供することである。
【課題を解決するための手段】
【００１３】
上記目的を達成するための本発明は、ＬＣＤに装着されるグラスを積載するためのＬＣＤ用グラスの積載カセットにおいて、前記グラスの側面及び背面を支持できるように側面支持台及び背面支持台がそれぞれ設けられた側面フレーム及び背面フレームと；前記グラスの前面を支持できるように前面支持台が設けられた前面フレームと；を含むことを特徴とする。
【００１４】
前記前面支持台は、バー形状に設けられることが好ましい。
【００１５】
前記背面支持台及び前記前面支持台は、それぞれ複数個が設けられ、前記複数の背面支持台及び前面支持台の中で中央に位置したものの長さが他のものに比べて長いことが好ましい。
【００１６】
前記前面フレームには、前記グラスを積載するために運搬道具が出入できるアーム収容部が設けられることが好ましい。
【発明の効果】
【００１７】
前述したように、本発明によると、大形のＬＣＤに装着されるグラスを積載する時にグラスの撓みを防止することができる。
【発明を実施するための最良の形態】
【００１８】
以下、添付した図面を参照して、本発明に対して詳細に説明する。
図３及び図４に示すように、本発明の実施形態によるＬＣＤ用グラスの積載カセットは、前記グラス１０の側面を支持できるように設けられた側面フレーム３０と、グラス１０の背面を支持できるように設けられた背面フレーム４０と、グラス１０の前面を支持できるように設けられた前面フレーム２０と、を含む。
【００１９】
側面フレーム３０は、カセット１の奥行き方向に複数個が設けられており、各グラス１０の側面の縁部を支持できるように多くの側面支持台３１を含む。
【００２０】
側面支持台３１は、一側の側面フレーム３０から他側の側面フレーム３０に向いて突出形成されて積載されたグラス１０の側面の縁部を支持することができることになる。
【００２１】
背面フレーム４０は、カセット１の幅方向に複数個が設けられ、各グラス１０の背面の縁部を支持できるように多くの背面支持台４１を含む。
【００２２】
背面支持台４１は、背面フレーム４０から前方に向いて突出形成されて積載されたグラス１０の背面の縁部を支持することができるようになる。また、背面支持台４１の間に設けられる背面中央支持台４３は、背面支持台４１に比べてさらに長く形成されているが、これはグラス１０の中央部位が下方に撓むことを防止するためのことである。
【００２３】
前面フレーム２０は、グラス１０が出入できるようにカセット１の前面に水平方向に複数個が設けられ、各グラス１０の前面の縁部を支持できるように多くの前面支持台２１と、グラス１０を積載するためのロボットアーム（ＲＯＢＯＴ ＡＲＭ）（図示せず）が出入できるように形成されるアーム収容部２５と、を含む。
【００２４】
前面支持台２１は、前面フレーム２０から後方に向いて突出形成されて積載されたグラス１０の前面の縁部を支持することができるようになる。また、前面支持台２１の間に設けられる前面中央支持台２３は、前面支持台２１に比べてさらに長く形成されているが、これはグラス１０の中央部位が下方に曲ることを防止するためのである。
【００２５】
アーム収容部２５は、それぞれの前面フレーム２０の所定の区間を折曲して形成され、各前面フレーム２０に一対ずつ設けられる。これにより、一対のロボットアームを利用して容易にカセット１にグラス１０を積載することができる。
【００２６】
また、前面支持台２１、背面支持台４１及び側面支持台３１は、バー形状に設けられ、それぞれその一側が前面フレーム２０と背面フレーム４０及び側面フレーム３０に結合される。これにより、前面支持台２１と背面支持台４１及び側面支持台３１をバー形状に設けて、グラス１０と接触する面積を減らすことができ、支持台２１、３１、４１との接触によりグラス１０に発生される傷を減らすことができる。
【００２７】
このような構成により、本発明によるＬＣＤ用グラスの積載カセット１にグラス１０を積載及び積載されたグラス１０を支持する過程について説明すると次の通りである。
【００２８】
まず、本発明によるＬＣＤ用グラスの積載カセット１に、矢印（図４のＢ）方向にロボットアーム（図示せず）を利用してグラス１０を押し込む。また、グラス１０は、背面フレーム４０に設けられた多くの背面支持台４１と、側面フレーム３０に設けられた多くの側面支持台３１と、前面フレーム２０に設けられた多くの前面支持台２１に支持されてカセット１に積載することができるようになる。
【００２９】
これにより、本発明によるＬＣＤ用グラスの積載カセット１は、ユーザーの必要に応じて、大形のグラス１０を積載する場合、カセット１に積載されたグラス１０の背面及び両側面の縁部を背面支持台４１及び側面支持台３１を使用して支持するだけでなく、前面の縁部を前面支持台２１を利用して支持することにより、大形のグラス１０の撓みを容易に防止することができる。また、前面支持台２１と背面支持台４１との間にそれぞれ配置された長さが相対的に長い前面中央支持台２３及び背面中央支持台４３によりグラス１０の前後の縁部の中央部分の撓みも効果的に防止することができる。
【００３０】
前述した実施形態では、側面フレーム３０及び背面フレーム４０が上下方向に複数個が設けられるが、側面フレーム３０及び背面フレーム４０が側面支持台３１及び背面支持台４１を含むことができるように前面フレーム２０のように水平方向に設けることもできる。
【００３１】
前述した実施形態では、グラス１０をカセット１に積載するためにロボットアームを使用しているが、このようにグラス１０をカセット１に積載することができる他の運搬道具を利用することもできる。
【図面の簡単な説明】
【００３２】
【図１】従来のＬＣＤ用グラスの積載カセットの斜視図である。
【図２】図１のＬＣＤ用グラスの積載カセットの平面図である。
【図３】本発明によるＬＣＤ用グラスの積載カセットの斜視図である。
【図４】図３のＬＣＤ用グラス積載カセットの平面図である。
【符号の説明】
【００３３】
１  カセット
１０  グラス
２０  前面フレーム
２１  前面支持台
２３  前面中央支持台
２５  アーム収容部
３０  側面フレーム
３１  側面支持台
４０  背面フレーム
４１  背面支持台
４３  背面中央支持台
【図１】
2004172570.tif 000003
【図２】
2004172570.tif 000004
【図３】
2004172570.tif 000005
【図４】
2004172570.tif 000006